(57)【要約】【解決手段】高速コネクタアセンブリは、それぞれの第１および第２の相互係合コネクタ筐体内に各々保持された２つの相互係合コネクタ半部を含む。各コネクタ半部は、少なくとも１つの直線配列で配列されると共に伝導性接地遮蔽体によって少なくとも部分的に取り囲まれた、複数の伝導性接触子を含む。コネクタ筐体は、円筒形であり、環状方式で互いに係合し、一方で、コネクタは、直線の軸方向方式で互いに係合する。コネクタ筐体は、コネクタに密閉環境を提供する。【選択図】図１
2016529682.tif 000002
【特許請求の範囲】
【請求項１】
第１および第２の相互に係合するコネクタシェルと、
前記第１および第２のコネクタシェルによってそれぞれ支持される第１および第２の絶縁性のコネクタ筐体と、
前記第１および第２のコネクタ筐体によってそれぞれ支持される第１および第２のコネクタ半部と、を備え、各コネクタ半部が、少なくとも１つの直線列でそれらのそれぞれのコネクタ筐体内に配列されたそれぞれの第１および第２の複数の伝導性の接触子を含み、前記第１および第２の接触子が、前記第１および第２のコネクタシェルの軸に対して横方向に延出し、前記第１のコネクタ半部が、前記第１のコネクタ筐体内で軸方向に延出する雌レセプタクル部分を含み、該雌レセプタクル部分が、前記第１の接触子をその上に支持し、前記第１のコネクタ筐体が、前記第１の接触子を少なくとも部分的に包囲する第１の伝導性の接地遮蔽体を更に含み、前記第２のコネクタ半部が、前記第２のコネクタ筐体内で延出する雄嵌合部分を含み、該雄嵌合部分が、前記第２の接触子をその上に支持し、前記第２のコネクタ筐体が、前記第２の接触子を少なくとも部分的に包囲する第２の伝導性の接地遮蔽体を含み、前記第１および第２の接触子が、それらのそれぞれのコネクタ半部内に配置され、その結果、前記第１および第２のコネクタ筐体が直線の軸方向運動で共に係合されるときに、前記第１および第２の接触子が共に嵌合されるように、かつ、前記第１および第２の接地遮蔽体が互いに係合するようになり、前記第１および第２の接地遮蔽体が、係合されるときに、前記第１および第２のコネクタシェルのうちの一方の長さよりも長い長さを有し、
前記第１および第２のコネクタ筐体が、嵌合前および嵌合中に前記第１および第２のコネクタ半部を共に整合させる相補的な相互係合部材を含み、
前記第１および第２のコネクタシェルが、円弧回転嵌合運動のみによって互いに係合する、コネクタアセンブリ。
【請求項２】
各々第１および第２のコネクタ筐体の相互係合部材が、第１および第２のコネクタ要素を共に適切に嵌合することのみを可能にするパターンに配列された、対応する凸部および凹部を含む、請求項１に記載のコネクタアセンブリ。
【請求項３】
各々第１および第２のコネクタ要素が、それぞれの第１および第２の基板を含み、各々第１および第２の基板が開口部を含み、前記第１および第２のコネクタ半部が、その開口部を通って中にそれぞれ延出する、請求項１に記載のコネクタアセンブリ。
【請求項４】
前記第１および第２のコネクタ半部が、それぞれの第１および第２のコネクタ本体部分内に保持され、該第１および第２のコネクタ本体部分が、前記第１および第２の基板の開口部を通ってそれぞれ突出する、請求項３に記載のコネクタアセンブリ。
【請求項５】
前記第１および第２のコネクタ本体部分が、２つのコネクタ筐体半部の嵌合中にそれらの実質的な横方向運動を防止するような様態で、前記第１および第２の基板内に支持される、請求項１に記載のコネクタアセンブリ。
【請求項６】
各々第１および第２のコネクタ本体部分が、該第１および第２のコネクタ本体部分が前記第１および第２の基板を通って引き戻されることを防止する、前記第１および第２の基板にそれぞれ接触する後方停止面を含む、請求項３に記載のコネクタアセンブリ。
【請求項７】
前記第１および第２のコネクタ半部が、前記コネクタ半部が前記コネクタ筐体を通って延出し得る範囲を制限する前方停止面を含む、請求項３に記載のコネクタアセンブリ。
【請求項８】
各々第１および第２のコネクタ本体部分が、圧縮する様態で前記第１および第２の基板と前記第１および第２のコネクタ筐体との間に保持される、請求項３に記載のコネクタアセンブリ。
【請求項９】
前記基板が、前記コネクタ筐体に、それらの間の相対運動を防止するように、かつ、前記第１および第２のコネクタシェルに対して前記基板およびコネクタ筐体の回転運動を可能にするように取り付けられる、請求項５に記載のコネクタアセンブリ。
【請求項１０】
前記第１および第２のコネクタ半部が、ＵＳＢ様式コネクタである、請求項１に記載のコネクタアセンブリ。
【請求項１１】
第１および第２のコネクタが、ｅＳａｔａ様式コネクタである、請求項１に記載のコネクタアセンブリ。
【請求項１２】
前記第１および第２のコネクタシェルが、伝導性であり、前記コネクタ筐体の周りに外部遮蔽体を提供する、請求項１に記載のコネクタアセンブリ。
【請求項１３】
前記第１および第２のコネクタシェルが、迅速な接続／切断方式で互いに係合する、請求項１に記載のコネクタアセンブリ。
【請求項１４】
前記第１および第２の接地遮蔽体のうちの少なくとも１つが、その関連したそれぞれのコネクタシェルよりも長い長さを有する、請求項１に記載のコネクタアセンブリ。
【請求項１５】
前記第１および第２のコネクタ半部が共に嵌合されるとき、前記第１および第２の接地遮蔽体が、前記コネクタ要素上のねじ部の対応する長さよりも長い長さにわたって前記コネクタアセンブリを通って軸方向に延出する、請求項１に記載のコネクタアセンブリ。
【請求項１６】
前記第１のコネクタ本体部分が、前記第１のコネクタ半部の上にオーバーモールドされ、前記第１のコネクタ本体部分の先端が、前記第１のコネクタ半部の前方停止面を画定する、請求項に記載のコネクタアセンブリ。
【請求項１７】
共に嵌合可能な第１および第２のコネクタ要素であって、
前記第１のコネクタ要素が、レセプタクルを有して複数の伝導性の第１の接触子がそれによって支持される、雌コネクタを支持する第１のコネクタ筐体を含み、前記第１の接触子が、接触部分と、第１のケーブルの導体へと終端するための反対側の尾部分とを含み、前記雌コネクタが、伝導性の第１の接地遮蔽体によって少なくとも部分的に取り囲まれ、
前記第２のコネクタ要素が、嵌合ブレードを有してそれによって支持される複数の伝導性の第２の接触子を支持する、雄コネクタを支持する第２のコネクタ筐体を含み、前記第２の接触子が、接触部分と、第２のケーブルの導体へと終端するための反対側の尾部分とを含み、前記第２のコネクタが、伝導性の第２の接地遮蔽体によって少なくとも部分的に取り囲まれる、第１および第２のコネクタ要素と、
前記雌コネクタおよび前記第１の接地遮蔽体の少なくとも一部分の周りに延出する第１のコネクタ本体と、
前記雄コネクタおよび前記第２の接地遮蔽体の少なくとも一部分の周りに延出する第２のコネクタ本体と、
前記第１および第２のコネクタ要素内にそれぞれ配置された第１および第２の基板と、を備え、前記第１のコネクタ本体が、前記第１の基板と前記第１のコネクタ筐体との間に挿入され、前記第２のコネクタ本体が、前記第２の基板と前記第２のコネクタ筐体との間に挿入され、前記第１および第２のコネクタ本体が、前記基板と前記コネクタ筐体との間で圧縮される、コネクタアセンブリ。
【請求項１８】
各々第１および第２のコネクタ本体が、前記第１および第２のコネクタ筐体にそれぞれ隣接する先端を含む、請求項１７に記載のコネクタアセンブリ。
【請求項１９】
前記第１および第２のコネクタ本体が、前記第１および第２の基板に係合するそれぞれの停止面を含む、請求項１８に記載のコネクタアセンブリ。
【請求項２０】
前記第１および第２の接地遮蔽体のうちの一方が、前記第１および第２のコネクタ要素のうちの一方よりも長い長さを有する、請求項１７に記載のコネクタアセンブリ。
【発明の詳細な説明】
【技術分野】
【０００１】
関連出願
本開示は、米国特許商標庁に２０１３年９月６日に出願され、「密閉筐体ケーブルアセンブリを有する高速コネクタ（Ｈｉｇｈ  Ｓｐｅｅｄ  Ｃｏｎｎｅｃｔｏｒ  Ｗｉｔｈ  Ｓｅａｌｅｄ  Ｈｏｕｓｉｎｇ  Ｃａｂｌｅ  Ａｓｓｅｍｂｌｙ）」と題された先願の米国仮出願第６１／８７４，４００号に対する優先権を主張するものである。上記出願の内容は、本明細書にその全体が完全に組み込まれる。
【背景技術】
【０００２】
本開示は、一般に、高速コネクタ、より具体的には、密閉筐体内に包囲された高速コネクタに関する。
【０００３】
ＵＳＢおよびＥｓａｔａコネクタなどの高速コネクタは、コネクタを取り付けるための回路基板を利用するデバイスにおいて一般的に用いられ、これらのデバイスは、それらの動作中に静的なデバイスであり、すなわち、それらは、内部の安定した環境においてそれらに外力を加えずに使用される。これらの種類のコネクタを、車両や航空機などの動的な環境に組み込むことが望ましく、その場合、コネクタが、嵌合されるときに環境から密閉されると共に、コネクタの嵌合を外してバラバラにさせ得る振動および他の外力から保護されることを確実にする必要がある。特に軍事用途における使用のための、１つのコネクタ規格は、コネクタが環境要因から保護されることおよび迅速な接続／切断型のものであることを要求するＤ３８９９９規格である。典型的なＤ３８９９９コネクタは、コネクタ筐体半部（ｈａｌｆ）の一方においてピンフィールドに配列した複数の伝導性ピンと、もう一方のコネクタ筐体半部においてピンレセプタクルを利用する。ピンは曲がり得、ピンフィールドは、コネクタのために選択された電気特性を引き出すように慎重に設計される必要があり、それは全体的なコネクタ費用を増加させる。更に、ピンフィールドに利用可能な小さいサイズは、適切な高速動作のためのピン配列を設計する際に問題を引き起こす可能性がある。ＵＳＢおよびＥｓａｔａ規格に準拠する高速コネクタは、所望の電気特性を有するものの、軍用規格の要求を満たす外部構造が備えられていない。更に、これらの平坦な様式のコネクタは、所望の結合のためにそれらの接触子に利用可能な包囲接地構造を必要とする。したがって、軍用規格の標準に適切に合致する高速コネクタの必要性が存在する。
【０００４】
したがって、本開示は、特にそのような用途に好適であり、耐振動性であるものの迅速な接続機能を有する、コネクタアセンブリに関するものである。
【発明の概要】
【課題を解決するための手段】
【０００５】
したがって、動的環境に好適であり、嵌合のために高速コネクタ部分を適所に保持する、コネクタアセンブリが提供される。
【０００６】
以下の本開示に記載されるような実施形態によれば、コネクタアセンブリは、２つの相互係合する雄および雌コネクタ構成要素を含む。各構成要素は、少なくとも１つの列に直線方式で配列された複数の伝導性接触子を有するコネクタ半部を含む。コネクタ半部は、対向の、相互係合する雄嵌合ブレードおよび雌レセプタクル部分をそれぞれ含む。コネクタ構成要素の２つのコネクタ半部間の嵌合は、雄嵌合ブレードを雌レセプタクルの中に押し込むように軸方向の直線運動によって達成される。その高速性能を向上させる遮蔽を提供するために、各コネクタ半部が、関連したコネクタ構成要素内に保持されたそれと関連付けられた一体型接地遮蔽体を有する。コネクタ接触子およびそれらの取り囲み接地遮蔽体が、直線接続運動の間に共に嵌合される。
【０００７】
コネクタ半部およびそれらの接地遮蔽体は、コネクタ構成要素内に保持された内側の絶縁性コネクタ筐体内に支持される。これらのコネクタ筐体半部は、例えばねじなどによって、支持基板に取り付けられ、それによって、コネクタ構成要素内のインサートとして一体化される方式でそれらの間でコネクタ半部を包囲する。コネクタ構成要素は、コネクタ半部を部分的に包囲するコネクタ本体部分と、圧縮力をコネクタ本体部分に加える構造を有する接地遮蔽体とを更に含む。このようにして、コネクタ半部が、直線の軸方向運動でそれらが嵌合されることを可能にする態様で、基板と筐体半部との間の内側に堅固に保持される。それらはまた、コネクタ半部がコネクタ筐体内で分離され、極端な振動にさらされないように保持される。それによって、基板、コネクタ筐体、およびコネクタ半部が、第１および第２のコネクタシェル内に支持される２つの一体型コネクタインサートを形成する。各コネクタシェルは、コネクタインサートがその中に保持される中空内部を有する。
【０００８】
コネクタシェルは、好ましくは、１つの係合手段として外部ねじ部が備えられ、一方のシェルがもう一方のシェルよりも大きく、その結果、２つのシェルは、一方のシェルがもう一方のシェル上に延出する入れ子式で容易に係合され得る。このようにして、シェルは、Ｏリングまたは他の種類の環境密閉を提供され得る。高速コネクタ半部に向上された接地を提供するために、２つのコネクタシェルのうちの一方と関連付けられた接地遮蔽体のうちの少なくとも１つが、コネクタ筐体インサートを完全に通って延出する長さを有し、この長さは、２つのコネクタシェル上の外部ねじ部の最長の長さを超える。これは、コネクタ長の約半分を横断する内部接地遮蔽体を提供する。
【０００９】
本開示のこれらのおよび他の目的、特徴、および利点は、以下の発明を実施するための形態を考慮することにより明確に理解される。
【００１０】
本開示の構造および動作の機構および様式は、それらの更なる目的および利点と共に、添付の図面と関連して行われる、以下の発明を実施するための形態への参照によって最も良く理解され得、図面中、同じ参照番号は、同じ要素を特定する。
【図面の簡単な説明】
【００１１】
【図１】コネクタアセンブリの２つのコネクタ構成要素が共に嵌合された、本開示のコネクタアセンブリの斜視図である。
【図２】２つのコネクタ半部が嵌合されていない、図１のコネクタアセンブリの斜視図である。
【図３】後方から見た、図１のコネクタアセンブリの左のコネクタ半部の分解図である。
【図３Ａ】前方から見た、かつ、コネクタ筐体および基板が間隔を置かれて例示された、図１の左のコネクタ構成要素インサートの斜視図である。
【図４】その前方から見た、図１のコネクタアセンブリの右のコネクタ半部の分解図である。
【図５】その５−５線に沿って取られた、図１のコネクタアセンブリの断面図であり、コネクタ構成要素が部分的に嵌合された、ｅＳａｔａ様式のコネクタ半部である。
【図６】図５と同じ図であり、コネクタ半部およびそれらの関連した筐体が完全に係合されている。
【図７】嵌合のために互いに整合されると共に部分的に嵌合される２つのコネクタ半部およびそれらの関連した筐体の断面図であるが、コネクタ半部がＵＳＢ様式のものである。
【図８】図７と同じ図であり、２つのコネクタ半部および筐体が共に嵌合されている。
【図９Ａ】図１のコネクタアセンブリの雌コネクタ構成要素の前方の嵌合端部の正面図である。
【図９Ｂ】図１のコネクタアセンブリの雄コネクタ構成要素の前方の嵌合端部の正面図である。
【発明を実施するための形態】
【００１２】
本開示は、様々な形態の実施形態が可能であり得るが、本開示が、本開示の原理の例示であると考えられ、かつ本開示を例示されたようなものに限定することを意図しないという理解の下で、特定の実施形態が図面に示され、本明細書に詳細に記載される。
【００１３】
そのように、特徴または態様への参照は、本開示のあらゆる実施形態が記載した特徴または態様を有する必要があることを暗示するのではなく、本開示の一例の特徴または態様を記載することを意図している。更に、記載が幾つかの特徴を例示することに留意されたい。一定の特徴が、可能性のあるシステム設計を例示するために共に組み合わされているが、それらの特徴はまた、明示的に開示されない他の組み合わせで使用されてもよい。それゆえ、描写した組み合わせは、別段断りのない限り、限定することを意図されない。
【００１４】
図面に例示された実施形態では、本開示の様々な要素の構造や動きを説明するために使用される方向の表現、例えば、上、下、左、右、前、および後などは、絶対的なものではなくて相対的なものである。これらの表現は、要素が図面に示される位置にあるときに適切である。しかしながら、要素の位置の記載が変わる場合、これらの表現は、それに応じて変更される。
【００１５】
図１は、本開示の原理に従って構築されたコネクタアセンブリ２０を例示する。アセンブリ２０は、第１および第２の電気ケーブル２４、２５にそれぞれ取り付けられた嵌合可能な第１および第２のコネクタ要素２２、２３を備える。そのような各ケーブル２４、２５は、複数の電気配線（図示されない）を含む。図２は、第１または左のコネクタ要素２２の分解図であり、このコネクタ要素２２は、絶縁性の第１のコネクタ筐体３０を協働的に含む第１のコネクタインサートと、第１のコネクタ接触子３５および取り囲み接地遮蔽体３８を含む第１のコネクタ半部２８と、オーバーモールドされた第１のコネクタ本体部分２６と、基板４３と、保持リング５２と、コネクタインサートとしてこれらのものを共に保持するねじ４８と、を含む。
【００１６】
第１のコネクタ半部２８は、第１のコネクタ半部２８の一部分と、第１のケーブル２４の配線が第１のコネクタ接触子３５の尾部分３５ａへと終端されるその後方配線終端領域とを覆う第１のコネクタ本体部分２６内に保持される。図５に示されるように、コネクタ半部２８の第１の接触子３５は、接触子３５を実質的に取り囲む伝導性接地遮蔽体３８内に支持され、接地遮蔽体３８の基部分がまた、第１のコネクタ本体部分２６内に保持される。第１のコネクタ要素２２の第１のコネクタ半部２８が雌コネクタとして示され、そのようなものとして、その雌コネクタは、レセプタクル３７を用いてブロック３４の支持表面上で少なくとも１つの直線列で複数の伝導性の第１の接触子３５を支持するブロック３４を含む。接触子３５は、ブロック３４に沿って横方向に間隔を置かれ、レセプタクル３７内を軸方向に延出し、第１のコネクタ接地遮蔽体３８によって覆われる（図９Ａ）。
【００１７】
第１のコネクタ本体部分２６は、好ましくは、オーバーモールドされるかまたはその構造内にインサート成形される。第１のコネクタ本体部分２６および関連した第１のコネクタ半部２８は、環状の構成である第１の垂直基板４３内に受容される。第１の基板４３はスロット４４を含み、そのスロットを通ってコネクタ本体および接地遮蔽体３６、３８の部分が延出する。これらの２つの構成要素２６、３８は、前方へ更に延出し、第１のコネクタ筐体３０に形成された対応する開口部４０の中に突出する。コネクタ本体部分２６が、基板４３の前方表面に対向するリブの形態を取る一対の第１の（後方）停止面４１を含むように示される。第２の（前方）停止面４２は、コネクタ本体部分２６の先端または前方上に形成され、これらは、第１のコネクタ筐体３０の対向する内部肩部３１にもたれる。第１の基板４３は、第１のコネクタ筐体３０内で対応する開口部４７と整合される１つ以上の穴４５を含む。ねじ４８または他の締結具が、穴４５および開口部４７内に受け入れられ、その結果、第１の基板４３が、圧縮する様態で第１のコネクタ筐体３０に対して第１のコネクタ本体部分２６を押圧する。この圧縮係合は、第１のコネクタ半部２８を、それが外力、そのような力および衝撃力、ならびに振動力に反応して動かないように、適所に保持するのに役立つ。
【００１８】
第１のコネクタ筐体３０は、対応する第２のコネクタ要素２３のみと、軸方向係合運動で嵌合するよう第１のコネクタ要素２２を方向付けるのに役立つ１つ以上の凸部５０を更に含み得る。これらの凸部５０は、コネクタアセンブリ２０Ａのための嵌合鍵として機能し、１つの配列のみで２つのコネクタ要素２２、２３の正確な整合および嵌合を、それらが最初に結び付けられるときに確実にするように可変サイズのものである。保持リング５２は、第１の基板４３と第１のコネクタ筐体３０との間に挿入され、それは、第１の基板４３へのその接続によって第１のコネクタインサートを第１のコネクタシェル５４内に適所に保持するのに役立つ。第１の基板４３への第１のコネクタ筐体３０の取り付けは、それらの間で第１のコネクタ半部２８および本体部分２６を包囲する。このようにして、第１のコネクタ半部２８とその関連した接触子３５および接地遮蔽体３８が、著しい軸方向および横方向運動から抑制される。それゆえ、外部衝撃および振動負荷が、コネクタ要素２２、２３の嵌合に共に悪影響を与えないはずである。
【００１９】
左のコネクタシェル５４は、第１のコネクタインサートを収容し、中空内部５７を有する円筒形本体５６を含む。中空内部５７は、左のコネクタ筐体３０のへり５３がもたれる、内部縁５９を画定する座ぐり５８を有する。保持リング５２は、第１のコネクタ筐体３０を適所に維持するために使用され、第１の基板４３は、保持リング５２に適応する溝部４６を有する。第２（右）のコネクタ要素２３はまた、第１のコネクタ半部２８と嵌合可能な雄レセプタクルコネクタである第２のコネクタ半部６０を含む。第２のコネクタ半部６０は、ｅＳａｔａ様式の雄レセプタクルコネクタとして例示され、また、軸方向に突出した嵌合ブレード６２の上に少なくとも１つの直線列で配列された、複数の伝導性の第２の接触子６３を含む。第２のコネクタ半部６０およびその嵌合ブレード６２はまた、伝導性の中空接地遮蔽体６４によって取り囲まれ、その遮蔽体は、第２のコネクタ半部６０の少なくとも一部分を包囲する第２のコネクタ本体部分６６内に少なくとも部分的に保持される。第１の接地遮蔽体３８は、２つのコネクタ半部が共に嵌合されるときに、第２の接地遮蔽体６４の内部に接触する片持ち接触部分３９を含む。
【００２０】
第２のコネクタ本体６６部分は、インサートまたはオーバーモールドによってそれに最も良く適用され得る。第２のコネクタ本体部分６６、接地遮蔽体６４、およびコネクタ半部６０は、第２のコネクタシェル７２内に受容された第２の環状基板６８に固定された配向で保持される。第２の基板６８はまた、第２のコネクタシェル７２の中空内部内に保持された第２のコネクタインサートを形成するために、ねじ７０のようなものによって、第２の絶縁性コネクタ筐体６９に取り付けられる。第２のコネクタ筐体６９は、第２のコネクタ半部６０とその関連した第２の接地遮蔽体６４の一部分に適応する横方向スロット７４を含む。第２のコネクタ本体部分６６は、第２のコネクタ半部６０および接地遮蔽体６４の上に形成され、このコネクタ本体部分６６は、第２のコネクタ半部６０の配線終端領域の上に置かれ、第２のコネクタ半部６０を第２のケーブル２４に接合するのに役立つ。第２のコネクタ本体部分６６は、第２のコネクタ筐体スロット７４よりも寸法が大きい先端６７を有し、それによって、第２のコネクタ筐体６９の開口部８３に形成された内部肩部７７に係合するその前方停止面７５を画定する。基板は、コネクタシェルが共にねじ込まれるときにケーブルがねじられないように、それらが外部コネクタシェルに対して回転することを可能にする態様で、好ましくは、それらの各コネクタシェル内に保持される。
【００２１】
第２のコネクタ筐体６９は、図４に示されるように、２つの部分６９ａ、６９ｂから形成され得、その２つの部分が、２つの部分６９ａ、６９ｂを共に接合するための相補的に形作られた係合口部８６および凹部８７をそれぞれ含む。第２のコネクタ本体部分６６はまた、図４〜５に示されるように、横方向に延出し、第２の基板６８の前方面に隣接するか、または他の場合には接触する後方停止面７６を含み得る。前方および後方停止面７５、７６は、第２のコネクタ筐体６９および基板６８にそれぞれ接触し、その結果、第２の基板６８がねじ７０によって第２のコネクタ筐体６９に取り付けられるときに、第２のコネクタ本体６６が圧縮下に置かれる。このようにして、第１および第２のコネクタ本体部分２６、６６の両方が、それらのそれぞれのコネクタ要素２２、２３内に圧縮下で保持され、それは、外部衝撃または振動に起因して起こり得る、全面的でないにせよかなりの軸方向および横方向運動を防止する。第２のコネクタシェル７２の外部は、ねじ込まれ、これらのねじ部７３は、第１のコネクタシェル５４の内部表面上の対応するねじ部５５に係合する。第２のコネクタシェル７２の別の外部表面７８は、ねじ込まれ、それは、第２のコネクタ要素２３がパネルに取り付けられ得るように停止リング８０を支持する。第２のコネクタ筐体６９の前方面は、第１のコネクタ筐体３０上に形成された突出した凸部５０を受け入れる凹部９２を含み得る図９Ｂ）。これらの凹部９２はまた、それらの鍵機能に適切に作用するように第１のコネクタ筐体凸部５０と同じ可変サイズのものである。第１および第２のコネクタインサートの両方は、それらの関連した外部シェル５４、７２内に、それらがその外部シェル内で自由に回転するような態様で適所に保持される。外部ねじ部の代わりに、２つのコネクタシェルが、２つのコネクタ要素２２、２３の迅速な接続および切断を可能にするバヨネット（ｂａｙｏｎｅｔ）型取り付け構造を含んでもよい。
【００２２】
図７は、コネクタアセンブリ２０の断面図であり、コネクタ半部１００、１０２がＵＳＢ様式のものである。左または第１のコネクタ半部１００は、雄コネクタ１０２の右または第２のコネクタ半部の嵌合ブレード１０５をその中に受け入れる中空内部１０４を有する雌レセプタクルコネクタである。この嵌合は、上記した図１〜６に示されるｅＳａｔａ様式のコネクタ半部と同様に、直線の軸方向運動で行われ、その結果、コネクタ半部１００、１０２の接触子１０８、１０９は、直線および軸方向方式で嵌合し、互いに摺動して、雌コネクタ半部１００の接触子によって加えられる標準圧力により接触を維持し、一方、外部コネクタシェル５４、７２の結合は共に円弧、回転運動で行われる。この実施形態では、図８に最も良く示されるように、第１の接地遮蔽体１０６が、第１のコネクタシェル５４の長さＬＳよりも大きな長さＬＣを有する。これに関して、第１の接地遮蔽体１０６は、第１のコネクタシェルの後方縁を超えて延出し、第１のコネクタシェル５４の前方縁のわずかに手前で停止する（図７）。２つの接地遮蔽体１０６、１０７が共に嵌合されるときに、それらが、２つのコネクタシェル５４、７２のうちの少なくとも１つの長さを超える結合された長さ、かつ、いかなる場合でも、コネクタシェル５４、７２上の外部ねじ部５５、７３のいかなる長さよりも長い長さを有する。この長さは、接触子の周りに実質的に均一に間隔を置かれたコネクタ接触子１０８、１０９のための接地基準を提供する。第２の接地遮蔽体１０７が、嵌合ブレード１０５とその接触子１０９を包囲し、その関連したコネクタシェル７２よりも短い長さを有する。
【００２３】
このようにして、伝導性ピンが接触子に使用される場合のように１つ１つの接触子に個々の接地を提供するのではなくて、ただ１つの接地が、各雄および雌コネクタ半部のために各複数の接触子に提供されるので、これらのコネクタの高速動作が、最低限の費用で実現され得る。コネクタインサートは、それらの絶縁性筐体および基板によって、非伝導性であり、それゆえ、コネクタシェルは、コネクタアセンブリ２０にケーブル２４、２５のそれに合致する外側の外部接地を提供する伝導性材料から形成され得るか、その伝導性材料でめっきされ得る。
【００２４】
本開示の好適な実施形態が示され記載されたが、当業者は、前述の記載および添付の特許請求の範囲の趣旨ならびに範囲から逸脱することなく、様々な修正を考案し得ることが想定される。
【図１】
2016529682.tif 000003
【図２】
2016529682.tif 000004
【図３】
2016529682.tif 000005
【図３Ａ】
2016529682.tif 000006
【図４】
2016529682.tif 000007
【図５】
2016529682.tif 000008
【図６】
2016529682.tif 000009
【図７】
2016529682.tif 000010
【図８】
2016529682.tif 000011
【図９Ａ】
2016529682.tif 000012
【図９Ｂ】
2016529682.tif 000013
【国際調査報告】
2016529682.tif 000014
2016529682.tif 000015